(57)【要約】      （修正有）【課題】軌道輪に対するスリンガの嵌合（圧入）力を高めることで、クリープ耐性と密封性を同時に向上させることを可能にする軸受用密封装置を提供する。【解決手段】スリンガ２０（スリンガ基部２０ｂ）には、他の部位よりも薄肉化された薄肉部２０ｃが周方向に沿って構成されていると共に、軌道輪には、スリンガの薄肉部が当接する段部２８が周方向に沿って連続して構成されており、段部には、軸受の回転軸に対して同心円状に、軸受外部から軸受内部に向う方向に沿って先細り円錐状の勾配を成すテーパ面２８ｓが構成され、軌道輪にスリンガを嵌合させた際、薄肉部が、段部に当接すると共に、テーパ面に沿って弾性変形することで、スリンガが他方の軌道輪に位置決め固定される。【選択図】図１
2013050119.tif 000002
【特許請求の範囲】
【請求項１】
相対回転可能に対向配置された軌道輪間に区画された軸受内部を密封する軸受用密封装置であって、
一方の軌道輪に嵌合され、軌道輪間に区画された軸受内部を覆うように延出したシール本体と、他方の軌道輪に嵌合され、軌道輪間に区画された軸受内部を覆うように延出し、シール本体に形成された複数のシールリップが摺接するスリンガとを備え、
スリンガは、軸受外部寄りに位置付けられ、軸受内部を覆うように延出した中空円板状を成すスリンガ壁部と、スリンガ壁部から軸受内部に向けて延出し、他方の軌道輪に嵌合される中空円筒状を成すスリンガ基部とを備えて構成され、
スリンガ基部には、その延出端に、他の部位よりも薄肉化された薄肉部が周方向に沿って構成されていると共に、
他方の軌道輪には、当該軌道輪に嵌合されたスリンガ基部の延出端が当接する段部が、他の部位よりも突出して周方向に沿って連続して構成されており、
段部には、軸受の回転軸に対して同心円状に、軸受外部から軸受内部に向う方向に沿って先細り円錐状の勾配を成すテーパ面が構成され、
他方の軌道輪にスリンガを嵌合させた際、スリンガ基部の延出端の薄肉部が、段部に当接すると共に、テーパ面に沿って弾性変形することで、スリンガが他方の軌道輪に位置決め固定されることを特徴とする軸受用密封装置。
【請求項２】
段部には、テーパ面から連続して形成され、他方の軌道輪を一部窪ませた逃げ部が設けられていることを特徴とする請求項１に記載の軸受用密封装置。
【請求項３】
段部と、スリンガの薄肉部との間には、周方向に沿って連続した弾性材が介在されていることを特徴とする請求項１又は２に記載の軸受用密封装置。
【発明の詳細な説明】
【技術分野】
【０００１】
本発明は、軸受内部を軸受外部から密封する軸受用密封装置に関する。
【背景技術】
【０００２】
従来、例えば自動車や鉄道などの車両には、その車軸を回転自在に支持する軸受が用いられており（例えば、特許文献１参照）、当該軸受には、相対回転可能に対向配置された軌道輪間に区画された軸受内部（具体的には、軸受内部空間）を軸受外部から密封する種々の軸受用密封装置が設けられている。
【０００３】
一例として図５(ａ)には、駆動輪用の軸受ユニットが示されており、当該軸受ユニットは、車体側構成品に固定されて常時非回転状態に維持される一方の軌道輪（例えば、静止輪（外輪）２）と、静止輪（外輪）２の内側に対向して配置され、かつ、車輪側構成品に接続されて車輪と共に回転する他方の軌道輪（例えば、回転輪（内輪）４）と、相対回転する静止輪２と回転輪４との間に複列（例えば、２列）で転動自在に組み込まれた複数の転動体６,８とを備えている。なお、転動体６,８として、図面では「玉」を例示しているが、軸受ユニットの使用目的や使用環境に応じて「ころ」が適用される場合もある。
【０００４】
静止輪（外輪）２は中空円筒状を成しており、回転輪（内輪）４の外周を覆うように配置されている。この場合、静止輪２と回転輪４との間には、軸受ユニットの軸受内部（即ち、静止輪２と回転輪４との間で区画された環状の軸受内部空間）を、その軸方向両側から密封するための軸受用密封装置（車輪側のリップシール１０ａ、車体側のパックシール１０ｂ）が設けられている。
【０００５】
また、静止輪（外輪）２には、その外周側から外方に向って放射状に突出した固定フランジ２ａが一体成形されている。この場合、固定フランジ２ａの固定孔２ｂに固定用ボルト（図示しない）を挿入し、これを車体側構成品に締結することで、静止輪２を例えばナックル（図示しない）に固定することができる。
【０００６】
一方、回転輪（内輪）４には、車輪側構成品を支持しつつ共に回転し、かつ、中空の円筒形状を成すハブ１２が設けられており、ハブ１２には、例えばディスクホイール（図示しない）が固定されるハブフランジ１２ａが突設されている。ハブフランジ１２ａは、静止輪（外輪）２を越えて外方（ハブ１２の径方向外側）に向って放射状に延出しており、その延出縁付近には、周方向に沿って所定間隔で配置された複数のハブボルト１４が設けられている。
【０００７】
ここで、複数のハブボルト１４を例えばディスクホイールに形成された各ボルト孔（図示しない）に差し込んで、ハブナット（図示しない）で締付けることにより、当該ディスクホイールをハブフランジ１２ａに対して位置決めして固定することができる。なお、このとき、ハブ１２の車輪側に突設されたパイロット部１２ｄによって車輪側構成品の径方向の位置決めが成される。
【０００８】
また、ハブ１２には、その外周面４ｍにおいて車体側端部に嵌合面４ｎが構成されており、当該嵌合面４ｎに環状の回転輪構成体１６（ハブ１２と共に回転輪（内輪）４を構成する部材）を嵌合（圧入）させることができるようになっている。この場合、例えば、静止輪２と回転輪４との間に各転動体６,８を保持器１８で保持した状態で、回転輪構成体１６を嵌合面４ｎに形成された段部１２ｂまで嵌合した後、ハブ１２の車体側端部の加締め領域１２ｃを塑性変形させて、当該加締め領域１２ｃを回転輪構成体１６の周端部１６ｓに沿って加締める（密着させる）ことで、当該回転輪構成体１６をハブ１２に固定することができる。
【０００９】
このとき、軸受ユニットには所定の予圧が付与された状態となり、この状態において、各転動体６,８は、互いに所定の接触角を成して静止輪２と回転輪４の各軌道溝（静止軌道溝２ｓ、回転軌道溝４ｓ）にそれぞれ接触して回転可能に組み込まれる。この場合、２つの接触点を結んだ作用線（図示しない）は、各軌道溝２ｓ,４ｓに直交し、かつ、各転動体６,８の中心を通り、軸受ユニットの中心線上の１点（作用点）で交わる。これにより背面組合せ形（ＤＢ）軸受が構成される。
【００１０】
このような軸受構成において、車両走行中に車輪に作用した力は、全てディスクホイールから軸受ユニットを通じてナックルに伝達されることになり、その際、軸受ユニットには、各種の荷重（ラジアル荷重、アキシアル荷重、モーメント荷重など）が作用する。しかし、軸受ユニットは、上述したような背面組合せ形（ＤＢ）軸受となっているため、各種の荷重に対して高い剛性が維持される。
【００１１】
また、上記した軸受ユニットに設けられた軸受用密封装置において、リップシール１０ａは、静止輪（外輪）２の車輪側の固定面２ｎ-1に固定され、回転輪４（ハブ１２）の摺動面４ｎ-1に対して摺動自在に位置決めされている。一方、パックシール１０ｂは、静止輪（外輪）２の車体側の固定面２ｎ-2と回転輪構成体１６との間に摺動自在に位置決めされている。具体的には、回転輪構成体１６には、静止輪（外輪）２の固定面２ｎ-2に対向して嵌合面１６ｍが形成されており、パックシール１０ｂは、当該嵌合面１６ｍと上記固定面２ｎ-2との間に圧入されて嵌合された状態で位置決めされている。
【００１２】
ここで、パックシール１０ｂについて説明する。
図５(ｂ)に示すように、パックシール１０ｂは、一方の軌道輪（静止輪（外輪）２）の車体側の固定面２ｎ-2に嵌合（圧入）され、軌道輪間（静止輪２と回転輪４との間）に区画された軸受内部（空間）を覆うように延出したシール本体１９と、他方の軌道輪（回転輪構成体１６）の嵌合面１６ｍに嵌合（圧入）され、軌道輪間（静止輪２と回転輪４との間）に区画された軸受内部（空間）を覆うように延出したスリンガ２０とから構成されている。
【００１３】
シール本体１９は、心金２２の内周面（スリンガ２０に対向する面）にシール材２４を加硫して構成されており、シール材２４には、例えば３つのシールリップ２４ａ,２４ｂ,２４ｃが一体成形されている。なお、心金２２は、固定面２ｎ-2に圧入されて嵌合される中空円筒部２２ａと、中空円筒部２２ａから回転輪構成体１６（嵌合面１６ｍ）に向けて折り返され、軸受内部（空間）を覆うように延出した環状折返部２２ｂとを備えて構成されている。
【００１４】
一方、スリンガ２０は、軸受外部寄りに位置付けられ、軸受内部（空間）を覆うように延出した中空円板状を成すスリンガ壁部２０ａと、スリンガ壁部から軸受内部（空間）に向けて延出し、回転輪構成体１６の嵌合面１６ｍに圧入されて嵌合される中空円筒状を成すスリンガ基部２０ｂとを備えて構成されている。なお、上記した３つのシールリップ２４ａ,２４ｂ,２４ｃにおいて、そのうちの１つのシールリップ２４ａはスリンガ壁部２０ａに摺接し、残りのシールリップ２４ｂ,２４ｃはスリンガ基部２０ｂに摺接する。
【００１５】
このようなパックシール１０ｂによれば、軸受回転中（静止輪２と回転輪４とが相対回転する間）或いは、軸受非回転中において、上記した３つのシールリップ２４ａ,２４ｂ,２４ｃがスリンガ２０に対して常に摺接状態となる。これにより、軸受内部（空間）を軸受外部から密封することができるため、軸受内部（空間）への異物（例えば、水、塵埃）の浸入防止、及び、軸受外部への潤滑剤の漏洩防止を図ることができる。なお、シール材２４としては、例えばゴムやエラストマーなどの弾性材を適用することができると共に、当該シール材２４を心金２２の内周面に付加する方法としては、例えば焼き付けや加硫接着が挙げられる。
【先行技術文献】
【特許文献】
【００１６】
【特許文献１】特開２００５−２５６８９７号公報
【発明の概要】
【発明が解決しようとする課題】
【００１７】
ところで、パックシール１０ｂは、回転輪構成体１６の嵌合面１６ｍと静止輪（外輪）２の固定面２ｎ-2との間に嵌合（圧入）される。スリンガ２０及び心金２２は、いずれも断面形状が略Ｌ字状で、略均一な肉厚で環状にプレス成形されており、嵌合によりフープストレスが生じた場合、フープストレスに対する剛性は、心金２２にあっては中空円筒部２２ａより環状折返部２２ｂが高く、スリンガ２０にあってはスリンガ基部２０ｂよりスリンガ壁部２０ａが高い。このため、嵌合後において、中空円筒部２２ａの軸受外部先端部分が縮径、或いは、スリンガ基部２０ｂの軸受内部寄り先端部分が拡径して、固定面２ｎ-2或いは嵌合面１６ｍから浮き上がるような変形を起こすことがある。また、嵌合（圧入）力によっては、心金２２（中空円筒部２２ａ）と固定面２ｎ-2との嵌合面同士や、スリンガ２０（スリンガ基部２０ｂ）と嵌合面１６ｍとの間の嵌合面同士が損傷してしまう虞がある。そうなると、損傷の程度によっては、軸受内部（空間）の密封状態が低下してしまう。
【００１８】
そこで、密封対策として例えば図５(ｂ)に示すように、心金２２（中空円筒部２２ａ）の車体側端部２２ｃ（環状折返部２２ｂとは反対側の端部）に、シール材２４でノーズカスケット２６を形成する方法が知られている。ノーズカスケット２６は、心金２２の車体側端部２２ｃを覆うようにシール材２４を回し込んで形成されており、その一部を静止輪（外輪）２側に膨出させて構成されている。これにより、軸受内部（空間）に対する密封性の維持向上が図られている。
【００１９】
これに対して、スリンガ２０については、スリンガ基部２０ｂが回転輪構成体１６の嵌合面１６ｍに圧入されて嵌合された状態にあるだけの構成が一般的であるため、軸受外部の泥水が嵌合面１６ｍを通過して軸受内部に浸入したり、軸受内部のグリース（基油等の液体成分）が嵌合面１６ｍを通過して軸受外部に漏れ出したり、嵌合力が不足して軸受回転中にクリープが発生する虞があった。軸受回転中（静止輪２と回転輪４とが相対回転する間）にクリープ現象が発生した場合、スリンガ基部２０ｂと回転輪構成体１６の嵌合面１６ｍとの間の嵌合（圧入）力が劣化し、これにより、スリンガ２０が回転輪構成体１６（広く捉えると、軌道輪、即ち、回転輪（内輪）４）から抜け出して（脱落して）しまう虞がある。そうなると、軸受内部（空間）に対する密封性を維持することができなくなってしまう。
【００２０】
本発明は、このような問題を解決するためになされており、その目的は、軌道輪に対するスリンガの嵌合力（保持力）を高めることで、クリープ耐性と密封性を同時に向上させることを可能にする軸受用密封装置を提供することにある。
【課題を解決するための手段】
【００２１】
このような目的を達成するために、本発明は、相対回転可能に対向配置された軌道輪間に区画された軸受内部を密封する軸受用密封装置であって、一方の軌道輪に嵌合され、軌道輪間に区画された軸受内部を覆うように延出したシール本体と、他方の軌道輪に嵌合され、軌道輪間に区画された軸受内部を覆うように延出し、シール本体に形成された複数のシールリップが摺接するスリンガとを備え、スリンガは、軸受外部寄りに位置付けられ、軸受内部を覆うように延出した中空円板状を成すスリンガ壁部と、スリンガ壁部から軸受内部に向けて延出し、他方の軌道輪に嵌合される中空円筒状を成すスリンガ基部とを備えて構成され、スリンガ基部には、その延出端に、他の部位よりも薄肉化された薄肉部が周方向に沿って構成されていると共に、他方の軌道輪には、当該軌道輪に嵌合されたスリンガ基部の延出端が当接する段部が、他の部位よりも突出して周方向に沿って連続して構成されており、段部には、軸受の回転軸に対して同心円状に、軸受外部から軸受内部に向う方向に沿って先細り円錐状の勾配を成すテーパ面が構成され、他方の軌道輪にスリンガを嵌合させた際、スリンガ基部の延出端の薄肉部が、段部に当接すると共に、テーパ面に沿って弾性変形することで、スリンガが他方の軌道輪に位置決め固定される。
本発明において、段部には、テーパ面から連続して形成され、他方の軌道輪を一部窪ませた逃げ部が設けられている。
本発明において、段部と、スリンガの薄肉部との間には、周方向に沿って連続した弾性材が介在されている。
【発明の効果】
【００２２】
本発明によれば、軌道輪に対するスリンガの嵌合（圧入）力を高めることで、クリープ耐性と密封性を同時に向上させることを可能にする軸受用密封装置を実現することができる。
【図面の簡単な説明】
【００２３】
【図１】(ａ)は、本発明の一実施形態に係る軸受用密封装置の構成を一部拡大して示す断面図、(ｂ)は、段部周りの構成を一部拡大して示す断面図。
【図２】(ａ)は、本発明の変形例に係る軸受用密封装置の構成を一部拡大して示す断面図、(ｂ)は、本発明の変形例に係る軸受用密封装置の構成を一部拡大して示す断面図。
【図３】(ａ)は、本発明の変形例に係る軸受用密封装置の構成を一部拡大して示す断面図、(ｂ)は、本発明の変形例に係る軸受用密封装置の構成を一部拡大して示す断面図。
【図４】(ａ)は、逃げ部を有する段部周りの構成に対する研削方法を示す図、(ｂ)は、逃げ部を無くした段部周りの構成に対する研削方法を示す図。
【図５】(ａ)は、軸受用密封装置が設けられた軸受ユニットの構成を示す断面図、(ｂ)は、既存の軸受用密封装置の構成を一部拡大して示す断面図。
【発明を実施するための形態】
【００２４】
以下、本発明の一実施形態に係る軸受用密封装置について、添付図面を参照して説明する。なお、本実施形態は、図５に示された軸受用密封装置の改良であるため、以下、改良部分の説明にとどめる。この場合、上記した軸受用密封装置（図５）と同一の構成については、その構成に付された参照符号と同一の符号を本実施形態に用いた図面上に付すことで、その説明を省略する。
【００２５】
図１(ａ),(ｂ)に示すように、本実施形態の軸受用密封装置において、スリンガ２０のスリンガ基部２０ｂには、その延出端に、他の部位よりも薄肉化された薄肉部２０ｃが周方向に沿って構成されている。この場合、薄肉部２０ｃは、スリンガ基部２０ｂの延出端の内径側を一部除肉して形成してもよいし、外径側を一部除肉して形成してもよい。或いは、内径側と外径側の双方を一部除肉して薄肉部２０ｃを形成してもよい。また、薄肉部２０ｃは、周方向に沿って連続的に構成してもよいし、所定間隔で切り欠いて（例えば、スリットを入れて）断続的に構成してもよい。
【００２６】
なお、薄肉部２０ｃの肉厚や、長さ（軸受の回転軸Ａｘ（図５(ａ)参照）に沿った方向における長さ）、或いは所定間隔で切り欠きを設ける場合の切り欠きの長さについては、当該薄肉部２０ｃを後述する段部２８に当接させた際、一定の剛性を維持しつつ、かつ、弾性変形可能な程度に設定され、これは例えばスリンガ２０の材質や板厚、大きさ等に応じて増減変更されるため、ここでは特に数値限定しない。
【００２７】
また、本実施形態の軸受用密封装置において、他方の軌道輪４（具体的には、回転輪構成体１６）には、当該回転輪構成体１６の嵌合面１６ｍに嵌合（圧入）されたスリンガ基部２０ｂの延出端（即ち、薄肉部２０ｃ）が当接する段部２８が、他の部位よりも突出して周方向に沿って連続して構成されている。
【００２８】
段部２８には、軸受の回転軸Ａｘに対して同心円状に、軸受外部から軸受内部に向う方向に沿って先細り円錐状の勾配を成すテーパ面２８ｓが構成されている。この場合、テーパ面２８ｓの勾配（傾斜角度）θについては、他方の軌道輪４（回転輪構成体１６）の嵌合面１６ｍとテーパ面２８ｓとの成す角度として、或いは、軸受の回転軸Ａｘとテーパ面２８ｓとの成す角度として規定することができる。テーパ面２８ｓの勾配θは、小さいほど薄肉部２０ｃの縮径効果は高くなる一方、加工が難しくなると共に、テーパ面２８ｓの軸方向寸法が大きくなり（軸方向の深さが深くなり）、回転輪構成体１６を幅広にする必要を生じるといった弊害が生まれるので、具体的には、５５°＜θ＜６７.５°の範囲に設定することが好ましい。下限を５５°とした理由は、菱形切削チップの先端角は５５°であり、θを５５°以下とすると特注チップが必要となり割高となるからである。また、上限を６７.５°とした理由は、本実施形態ではテーパ面２８ｓに当接する薄肉部２０ｃの先端外径側の形状について特に規定しておらず、各図面では丸面取りとしているが、現実的な形状はＣ面取りであり、そのＣ面取りの内径側の稜がテーパ面２８ｓに当接したとき、θを６７.５°以下にすれば、反力は軸方向成分より径方向成分が強くなり、テーパ面２８ｓの縮径効果が高くなるからである。
【００２９】
以上、本実施形態によれば、他方の軌道輪４（回転輪構成体１６）の嵌合面１６ｍに、スリンガ２０（スリンガ基部２０ｂ）を嵌合（圧入）させた際、スリンガ基部２０ｂの延出端の薄肉部２０ｃが、段部２８に当接すると共に、テーパ面２８ｓに沿って弾性変形することで、スリンガ２０を他方の軌道輪４（回転輪構成体１６）の嵌合面１６ｍに堅牢に位置決め固定させることができる。
【００３０】
具体的に説明すると、スリンガ２０（スリンガ基部２０ｂ）の薄肉部２０ｃを段部２８に当接させただけでは、スリンガ２０は、スリンガ基部２０ｂと回転輪構成体１６の嵌合面１６ｍとの間の嵌合（保持）力のみで、他方の軌道輪４（回転輪構成体１６）に固定された状態にあり、スリンガ基部２０ｂの軸受内部寄り部分が拡径して、嵌合面１６ｍから浮き上がった状態、或いは、嵌合力が十分でない状態になっている虞がある。かかる状態においては、軸受外部の泥水が嵌合面１６ｍを通過して軸受内部に浸入したり、軸受内部のグリース（基油等の液体成分）が嵌合面１６ｍを通過して軸受外部に漏れ出したり、嵌合力が不足して軸受回転中にクリープが発生する虞があった。クリープ現象が発生した場合、スリンガ基部２０ｂと嵌合面１６ｍとの間が面荒れし、摩耗し、嵌合面１６ｍの防水性が低下すると共に、嵌合（支持）力が低下し、これにより、スリンガ２０が他方の軌道輪４（回転輪構成体１６）から抜け出して（脱落して）しまう虞がある。そうなると、軸受内部（空間）に対する密封性を維持することができなくなってしまう。
【００３１】
これに対して、本実施形態では、スリンガ２０（スリンガ基部２０ｂ）の薄肉部２０ｃを、段部２８に当接させると共に、テーパ面２８ｓに沿って弾性変形させている。この場合、テーパ面２８ｓは、軸受の回転軸Ａｘに対して同心円状に、軸受外部から軸受内部に向う方向に沿って先細り円錐状の勾配を成しているため、当該テーパ面２８ｓに沿って弾性変形した薄肉部２０ｃは、軸受の回転軸Ａｘに向けて同心円状に屈曲した状態（姿勢）に維持される。別の捉え方をすると、当該テーパ面２８ｓに沿って弾性変形した薄肉部２０ｃは、軸受の回転軸Ａｘに向けて同心円状に縮径化（小径化）した状態（姿勢）に維持される。
【００３２】
これによれば、スリンガ基部２０ｂの軸受内部寄り部分が縮径して、嵌合面１６ｍから浮き上がった状態が解消され、嵌合面１６ｍに押し付けられる状態となるので、嵌合力が増加し、軸受外部の泥水が嵌合面１６ｍを通過して軸受内部に侵入したり、軸受内部のグリース（基油等の液体成分）が嵌合面１６ｍを通過して軸受外部に漏れ出したり、嵌合力が不足して軸受回転中にクリープが発生することを防止できる。また、クリープ現象が発生し、スリンガ基部２０ｂと嵌合面１６ｍとの間の嵌合（支持）力が劣化しても、上記した薄肉部２０ｃの屈曲（縮径化）した状態（姿勢）が維持されているため、かかる状態（姿勢）が、他方の軌道輪４（回転輪構成体１６）から抜け出る（脱落する）方向へのスリンガ２０の移動を抑止する抑止力となって働くことになり、これにより、スリンガ２０が他方の軌道輪４（回転輪構成体１６）から抜け出して（脱落して）しまうことを未然に防止することができる。その結果、軸受内部（空間）に対する密封性（気密性、液密性）を維持することができる。
【００３３】
また、段部２８には、テーパ面２８ｓから連続して形成され、他方の軌道輪４（回転輪構成体１６）の嵌合面１６ｍを一部窪ませて形成された逃げ部２８ｇを設けることが好ましい。ここで、逃げ部２８ｇを形成すると、嵌合面１６ｍの軸受内部（空間）寄りの起点Ｐが設定されるため、この場合、上記した薄肉部２０ｃの起点を嵌合面１６ｍの軸受内部（空間）寄りの起点Ｐと同一か、或いは、それよりも軸受外部寄りに設定することが好ましい。
【００３４】
そうすると、上記した薄肉部２０ｃの屈曲（縮径化）した状態（姿勢）が、嵌合面１６ｍの軸受内部（空間）寄りの起点Ｐの直近から始まるようになると共に、当該薄肉部２０ｃが逃げ部２８ｇに向けてさらに屈曲し、薄肉部２０ｃ及びスリンガ基部２０ｂの軸受内部寄り部分が縮径し、嵌合面１６ｍより小径となる。これにより、クリープ発生時において、他方の軌道輪４（回転輪構成体１６）から抜け出る（脱落する）方向へのスリンガ２０の移動を抑止する抑止力を飛躍的に向上させることができる。
【００３５】
更に、例えば図４(ａ)に示すように、回転軌道溝４ｓと共に一体研削する研削用砥石３０によって他方の軌道輪４（具体的には、回転輪構成体１６）の嵌合面１６ｍに研削処理を施す際に、上記したように段部２８に逃げ部２８ｇを設けたことで、他方の軌道輪４（具体的には、回転輪構成体１６）の嵌合面１６ｍを斑無く全て研削することができる。これにより、当該嵌合面１６ｍに対してスリンガ２０（スリンガ基部２０ｂ）を円滑かつ高精度に嵌合（圧入）させることができ、その結果、スリンガ２０を他方の軌道輪４（具体的には、回転輪構成体１６）の嵌合面１６ｍに堅牢にかつ正確に位置決めして固定させることができる。
【００３６】
そうなると、例えば当該スリンガ２０（スリンガ壁部２０ａ）にエンコーダ（図示しない）を取り付けた場合、他方の軌道輪（回転輪（内輪）４）の回転状態は、スリンガ２０を介してエンコーダにブレ無く高精度に伝達され、このとき、当該スリンガ２０と共に回転するエンコーダの回転状態をセンサ（図示しない）でセンシングすることで、軸受の回転状態（例えば、回転速度、回転方向など）を高精度に測定することができる。
【００３７】
なお、本発明は、上記した実施形態に限定されることはなく、以下の変形例も技術的範囲に含まれる。
第１の変形例として図２(ａ),(ｂ)に示すように、段部２８と、スリンガ２０の薄肉部２０ｃとの間に、周方向に沿って連続した弾性材を介在させてもよい。これにより、軸受内部（空間）に対する密封性（気密性、液密性）を向上させることができる。
【００３８】
図２(ａ)には、薄肉部２０ｃの表面全体に亘り周方向に沿って連続的に弾性材３２（例えば、合成樹脂）を設け、当該弾性材３２をテーパ面２８ｓに当接させる構成が示されている。この場合、弾性材３２は、加硫によって薄肉部２０ｃ表面に構成すればよい。
図２(ｂ)には、弾性材として、例えば合成樹脂製のＯリング３４を逃げ部２８ｇに装着し、これに薄肉部２０ｃを当接させる構成が示されている。この場合、薄肉部２０ｃは、周方向に沿って連続的に構成することが好ましい。
【００３９】
第２の変形例として図３(ａ),(ｂ)に示すように、逃げ部２８ｇを無くして段部２８を構成してもよい。ここで、例えば図４(ｂ)に示すように、回転軌道溝４ｓと共に一体研削する研削用砥石３０によって他方の軌道輪４（具体的には、回転輪構成体１６）の嵌合面１６ｍに研削処理を施す際に、段部２８から逃げ部２８ｇを無くすると、他方の軌道輪４（具体的には、回転輪構成体１６）の嵌合面１６ｍを斑無く全て研削することができなくなり、段部２８寄りの領域に削り残り、即ち、非研削部Ｈが残留する。この場合、非研削部Ｈに対向する側面を除肉して薄肉部２０ｃを形成することが好ましい。
【００４０】
逃げ部２８ｇを無くした場合でも、上記した実施形態と同様に、他方の軌道輪４（回転輪構成体１６）の嵌合面１６ｍに、スリンガ２０（スリンガ基部２０ｂ）を嵌合（圧入）させた際、スリンガ基部２０ｂの延出端の薄肉部２０ｃが、段部２８に当接すると共に、テーパ面２８ｓに沿って弾性変形することで、スリンガ２０を他方の軌道輪４（回転輪構成体１６）の嵌合面１６ｍに堅牢に位置決め固定させることができる。なお、その他の効果は、上記した実施形態と同様であるため、その説明は省略する。
【００４１】
この場合、図３(ｂ)に示すように、薄肉部２０ｃと段部２８（テーパ面２８ｃ）と嵌合面１６ｍとの間に弾性材３６（例えば、合成樹脂）を充填し介在させることで、軸受内部（空間）に対する密封性（気密性、液密性）を向上させることができる。
【符号の説明】
【００４２】
２  静止輪
４  回転輪
２０  スリンガ
２０ａ  スリンガ壁部
２０ｂ  スリンガ基部
２０ｃ  薄肉部
２８  段部
２８ｓ  テーパ面
【図１】
2013050119.tif 000003
【図２】
2013050119.tif 000004
【図３】
2013050119.tif 000005
【図４】
2013050119.tif 000006
【図５】
2013050119.tif 000007